【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
電気泳動表示装置であって、
（ａ）上側透明層と、
（ｂ）複数のセルであって、
（ｉ）誘電溶媒または誘電溶媒混合物の中に分散した荷電顔料粒子を有する電気泳動流体で充填され、
（ii）ポリマ性シール層でシールされ、        
（iii）光透過性の側壁により分離された複数のセルと、
（ｃ）下側電極プレートと、
（ｄ）下側電極プレートの下方にあるバックライトと、を備えたことを特徴とする表示装置。
【請求項２】
請求項１に記載の電気泳動表示装置であって、
ポリマ性シール層は、電気泳動流体より小さい比重を有するシール成分からなることを特徴とする表示装置。
【請求項３】
請求項２に記載の電気泳動表示装置であって、
シール成分は、紫外線、熱、または湿気により硬化可能な成分であることを特徴とする表示装置。
【請求項４】
請求項２に記載の電気泳動表示装置であって、
シール成分は、熱可塑性エラストマを含むことを特徴とする表示装置。
【請求項５】
請求項２に記載の電気泳動表示装置であって、
シール成分は、多価アクリレート、多価メタクリレート、多価シアノアクリレート、多価ビニル、多価エポキシド、多価アリル、および架橋可能な官能基を含むオリゴマまたはポリマからなるグループより選択された材料を有することを特徴とする表示装置。
【請求項６】
請求項１に記載の電気泳動表示装置であって、
背景層をさらに有することを特徴とする表示装置。
【請求項７】
請求項１に記載の電気泳動表示装置であって、
上側透明層は、導電フィルムであり、
この装置は、縦電界駆動方式を有することを特徴とする表示装置。
【請求項８】
請求項１に記載の電気泳動表示装置であって、
上側透明層は、絶縁基板であり、
各セルは、背景を有し、
この装置は、横電界駆動方式を有することを特徴とする表示装置。
【請求項９】
請求項１に記載の電気泳動表示装置であって、
上側透明層は、導電フィルムであり、
各セルは、背景を有し、
この装置は、二重駆動方式を有することを特徴とする表示装置。
【請求項１０】
請求項７に記載の電気泳動表示装置であって、
セルは、着色された誘電溶媒に分散した白色の荷電顔料粒子を有する電気泳動流体で充填されていることを特徴とする表示装置。
【請求項１１】
請求項１０に記載の電気泳動表示装置であって、
誘電溶媒は、すべてのセルにおいて同じ色を有することを特徴とする表示装置。
【請求項１２】
請求項１０に記載の電気泳動表示装置であって、
セル内の誘電溶媒は、異なる色を有することを特徴とする表示装置。
【請求項１３】
請求項８に記載の電気泳動表示装置であって、
絶縁基板は、無色であることを特徴とする表示装置。
【請求項１４】
請求項８に記載の電気泳動表示装置であって、
この表示装置は、単色の表示装置であることを特徴とする表示装置。
【請求項１５】
請求項１４に記載の電気泳動表示装置であって、
誘電溶媒は無色透明であることを特徴とする表示装置。
【請求項１６】
請求項１５に記載の電気泳動表示装置であって、
すべてのセルは、同じ色の背景を有し、
荷電顔料粒子は、白色を有することを特徴とする表示装置。
【請求項１７】
請求項１６に記載の電気泳動表示装置であって、
背景の色は、黒色、赤色、緑色、青色、黄色、シアン色、またはマゼンタ色であることを特徴とする表示装置。
【請求項１８】
請求項１５に記載の電気泳動表示装置であって、
すべてのセルは、白色の背景色を有し、
荷電顔料粒子は、同じ色を有することを特徴とする表示装置。
【請求項１９】
請求項１８に記載の電気泳動表示装置であって、
荷電顔料粒子は、黒色、赤色、緑色、青色、黄色、シアン色、またはマゼンタ色であることを特徴とする表示装置。
【請求項２０】
請求項１５に記載の電気泳動表示装置であって、
セルは、同じ背景色を有し、
荷電顔料粒子は、混合色を有することを特徴とする表示装置。
【請求項２１】
請求項２０に記載の電気泳動表示装置であって、
混合色は、黒色、赤色、緑色、青色、黄色、シアン色、およびマゼンタ色からなるグループから選択された２つ以上の色であることを特徴とする表示装置。
【請求項２２】
請求項２０に記載の電気泳動表示装置であって、
背景色は、黒色、赤色、緑色、青色、黄色、シアン色、およびマゼンタ色からなるグループから選択されることを特徴とする表示装置。
【請求項２３】
請求項８に記載の電気泳動表示装置であって、
この表示装置は、マルチカラー表示装置であることを特徴とする表示装置。
【請求項２４】
請求項２３に記載の電気泳動表示装置であって、
セルは、異なる背景色を有し、
荷電顔料粒子は、白色を有することを特徴とする表示装置。
【請求項２５】
請求項２３に記載の電気泳動表示装置であって、
セルは、異なる背景色を有し、
荷電顔料粒子は、黒色を有することを特徴とする表示装置。
【請求項２６】
請求項２３に記載の電気泳動表示装置であって、
セルは、白色の背景色を有し、
荷電顔料粒子は、異なる色を有することを特徴とする表示装置。
【請求項２７】
請求項２３に記載の電気泳動表示装置であって、
セルは、黒色の背景色を有し、
荷電顔料粒子は、異なる色を有することを特徴とする表示装置。
【請求項２８】
請求項８に記載の電気泳動表示装置であって、
絶縁基板は、着色されていることを特徴とする表示装置。
【請求項２９】
請求項８に記載の電気泳動表示装置であって、
絶縁基板は、カラーフィルタを有することを特徴とする表示装置。
【請求項３０】
請求項２８に記載の電気泳動表示装置であって、
すべてのセルは、黒色の背景色を有し、
荷電顔料粒子は、白色を有することを特徴とする表示装置。
【請求項３１】
請求項３０に記載の電気泳動表示装置であって、
絶縁基板は、すべてのセルに対して同じ色を有することを特徴とする表示装置。
【請求項３２】
請求項３０に記載の電気泳動表示装置であって、
絶縁基板は、セルに対して異なる色を有することを特徴とする表示装置。
【請求項３３】
請求項９に記載の電気泳動表示装置であって、
荷電顔料粒子は、白色を有することを特徴とする表示装置。
【請求項３４】
請求項９に記載の電気泳動表示装置であって、
荷電顔料粒子は、赤色、緑色、青色、黄色、シアン色、およびマゼンタ色からなるグループから選択される色を有することを特徴とする表示装置。
【請求項３５】
請求項３３に記載の電気泳動表示装置であって、
誘電溶媒は、赤色、緑色、青色、黄色、シアン色、およびマゼンタ色からなるグループから選択される色を有することを特徴とする表示装置。
【請求項３６】
請求項３３に記載の電気泳動表示装置であって、
背景は、黒色、赤色、緑色、青色、黄色、シアン色、およびマゼンタ色からなるグループから選択される色を有することを特徴とする表示装置。
【請求項３７】
請求項９に記載の電気泳動表示装置であって、
背景は、黒色、赤色、緑色、青色、黄色、シアン色、およびマゼンタ色からなるグループから選択される色を有することを特徴とする表示装置。
【請求項３８】
請求項９に記載の電気泳動表示装置であって、
この表示装置は、単色の表示装置であることを特徴とする表示装置。
【請求項３９】
請求項３８に記載の電気泳動表示装置であって、
荷電顔料粒子は、すべてのセルにおいて白色を有することを特徴とする表示装置。
【請求項４０】
請求項３８に記載の電気泳動表示装置であって、
荷電顔料粒子は、すべてのセルにおいて、赤色、緑色、青色、黄色、シアン色、およびマゼンタ色からなるグループから選択される色を有することを特徴とする表示装置。
【請求項４１】
請求項３８に記載の電気泳動表示装置であって、
誘電溶媒は、すべてのセルにおいて、赤色、緑色、青色、黄色、シアン色、およびマゼンタ色からなるグループから選択される色を有することを特徴とする表示装置。
【請求項４２】
請求項３６に記載の電気泳動表示装置であって、
すべてのセルは、黒色の背景を有することを特徴とする表示装置。
【請求項４３】
請求項３８に記載の電気泳動表示装置であって、
すべてのセルは、赤色、緑色、青色、黄色、シアン色、およびマゼンタ色からなるグループから選択される背景色を有することを特徴とする表示装置。
【請求項４４】
請求項９に記載の電気泳動表示装置であって、
電気泳動表示装置は、マルチカラー表示装置であることを特徴とする表示装置。
【請求項４５】
請求項４４に記載の電気泳動表示装置であって、
セルは、異なる色の誘電溶媒中に分散した白色荷電顔料粒子を有する電気泳動流体で充填されることを特徴とする表示装置。
【請求項４６】
請求項４５に記載の電気泳動表示装置であって、
異なる色は、赤色、緑色、青色、黄色、シアン色、およびマゼンタ色からなるグループから選択されることを特徴とする表示装置。
【請求項４７】
請求項４６に記載の電気泳動表示装置であって、
色は、赤色、緑色、または青色であることを特徴とする表示装置。
【請求項４８】
請求項４４に記載の電気泳動表示装置であって、
背景は黒色であることを特徴とする表示装置。
【請求項４９】
請求項４４に記載の電気泳動表示装置であって、
セルは、１つの背景色を有し、
荷電顔料粒子は、混合色を有することを特徴とする表示装置。
【請求項５０】
請求項４９に記載の電気泳動表示装置であって、
混合色は、白色、赤色、緑色、青色、黄色、シアン色、およびマゼンタ色からなるグループから選択される２つ以上の色であることを特徴とする表示装置。
【請求項５１】
請求項４９に記載の電気泳動表示装置であって、
背景色は、黒色、赤色、緑色、青色、黄色、シアン色、およびマゼンタ色からなるグループから選択されることを特徴とする表示装置。
【請求項５２】
請求項９に記載の電気泳動表示装置であって、
上側導電層は、着色されるか、カラーフィルタを有することを特徴とする表示装置。
【請求項５３】
請求項５２に記載の電気泳動表示装置であって、
荷電顔料粒子は、無色の誘電溶媒中に分散し、白色を有することを特徴とする表示装置。
【請求項５４】
請求項１に記載の電気泳動表示装置であって、
下側電極プレートは、薄膜トランジスタを有することを特徴とする表示装置。
【請求項５５】
請求項１に記載の電気泳動表示装置であって、
表示装置の上面上に拡散剤をさらに有することを特徴とする表示装置。
【手続補正２】
【補正対象書類名】明細書
【補正対象項目名】００４１
【補正方法】変更
【補正の内容】
【００４１】
個々のマイクロカップの寸法は、約１０２ないし１×約１０６μｍ２で、好適には約１０３ないし約１×１０５μｍ２である。マイクロカップの深さは、約５ないし約２００ミクロンで、好適には約１０ないし約１００ミクロンである。全体に対する開口部の面積の比は、約０．０５ないし約０．９５で、好適には約０．４ないし約０．９である。